(57)【要約】      （修正有）【課題】所定の値下げタイミングにおいて値下げ販売価格を生成することで、販売機における値下げ機能を向上させる値下げ販売価格を生成するシステムを提供する。【解決手段】販売機システムに複数の物品が配置され、販売機システムが物品を自動的に販売しやすいよう、物品が各々に物品期限タイミングを有し、販売機システムが計時を開始するよう、販売機システムに計時ユニットを提供し、販売機システムが元値の値下げ販促演算を行うよう、販売機システムに値下げ販促メカニズムを提供し、値下げ販促メカニズムは、物品期限タイミングに基づいてカウントダウンを開始するとともに、所定の値下げタイミングまで計時すると値下げ販売価格を生成する。【選択図】図１
0003217731.tif 000002
【実用新案登録請求の範囲】
【請求項１】
販売機における製品期限に基づく値下げシステムにおいて、
複数の物品が配置される販売機システムであって、当該販売機システムが当該物品を自動的に販売しやすいよう、当該物品が各々に物品期限タイミングを有する販売機システム、
計時ユニットであって、当該販売機システムが当該計時ユニットを用いて計時を開始するよう、当該販売機システムに提供される計時ユニット、及び
値下げ販促メカニズムであって、当該販売機システムが当該値下げ販促メカニズムを用いて元値の値下げ販促演算を行うよう、当該販売機システムに提供される値下げ販促メカニズム、を含み、
当該値下げ販促メカニズムは、当該物品期限タイミングに基づいて計時を開始するとともに、所定の値下げタイミングまで計時すると値下げ販売価格を生成するシステム。
【請求項２】
期限切れ間近の当該物品を告知販促するよう、当該少なくとも一つの値下げ販売価格が、ＰＯＳシステム、告知出力装置、告知表示装置又はモバイル通信装置に出力される請求項１に記載のシステム。
【請求項３】
当該少なくとも一つの値下げ販売価格に機械位置データを組み合わせるとともに、期限切れ間近の当該物品を告知販促するよう、当該少なくとも一つの値下げ販売価格と機械位置データを、ＰＯＳシステム、告知出力装置、告知表示装置又はモバイル通信装置に出力する請求項１に記載のシステム。
【請求項４】
不適切管理による販売不調を回避するよう、当該期限切れ間近の物品の数量情報が倉庫管理システム又はクラウド管理センタに表示される請求項１に記載のシステム。
【請求項５】
当該期限切れ間近の物品の販促を加速するよう、当該期限切れ間近の物品の決算が完了すると、当該期限切れ間近の物品の残数、販促終了日又はこれらの組み合わせが表示される請求項１に記載のシステム。
【請求項６】
当該物品期限タイミングは消費期限であり、当該所定の値下げタイミングは強制販促日である請求項１に記載のシステム。
【請求項７】
当該強制販促日と消費期限の間には、加速販促日又は最終販促日が存在し、且つ、当該最終販促日には最終値下げ販売価格が対応して配置される請求項６に記載のシステム。
【請求項８】
当該販売機システムには、ＡＶ再生方式で当該物品を告知販促するよう、ＡＶ再生システムが選択的に配置される請求項１に記載のシステム。
【請求項９】
当該販売機システムは、ＡＶ再生方式で当該物品の値下げカウントダウン及び告知販促を行うよう、ＡＶ再生システムを選択的に利用する請求項１に記載のシステム。
【考案の詳細な説明】
【技術分野】
【０００１】
本考案は、販売機における製品起源に基づく値下げ（ｄｉｓｃｏｕｎｔ）システム及びその方法に関し、特に、スマート型（ｓｍａｒｔ）販売機における製品期限に基づく値下げ販促（ｐｒｏｍｏｔｉｏｎ）システム及びその方法に関する。
【背景技術】
【０００２】
特許文献１の“ＭＵＬＴＩＰＬＥ  ＰＵＲＣＨＡＳＥ  ＤＩＳＣＯＵＮＴ  ＭＯＤＵＬＥ  ＦＯＲ  Ａ  ＳＩＮＧＬＥ  ＰＲＩＣＥ  ＶＥＮＤＩＮＧ  ＭＡＣＨＩＮＥ”は、自動販売機について開示している。当該自動販売機はスイッチ装置（ｓｗｉｔｃｈｉｎｇ  ｄｅｖｉｃｅ）を含む。スイッチ装置は、売買取引（ｓａｌｅｓ  ｔｒａｎｓａｃｔｉｏｎ）時に第１の商品（ｉｔｅｍ）について第１の価格を構築するとともに、同じ売買取引において追加商品（ａｄｄｉｔｉｏｎａｌ  ｉｔｅｍ）の第２の価格を構築する。
【０００３】
特許文献２の“ＡＵＴＯＭＡＴＩＣ  ＶＥＮＤＩＮＧ  ＭＡＣＨＩＮＥ  ＷＩＴＨ  ＤＩＳＣＯＵＮＴ  ＦＵＮＣＴＩＯＮ”は自動販売機について開示している。当該自動販売機は、連続販売コントローラ（ｃｏｎｔｉｎｕｏｕｓ  ｓｅｌｌ  ｃｏｎｔｒｏｌｌｅｒ）を備える。連続販売コントローラは、単一の取引（ｓｉｎｇｌｅ  ｐｕｒｃｈａｓｅ）において投入された硬化の総数（ｔｏｔａｌ  ａｍｏｕｎｔ  ｏｆ  ｃｏｉｎｓ  ｉｎｓｅｒｔｅｄ）に基づいて複数の製品を連続で販売する。未取引残高が０になると、複数の単一取引操作（ｓｉｎｇｌｅ  ｓａｌｅ  ｏｐｅｒａｔｉｏｎ）が単一取引記憶体に蓄積される。そして、カウンタ（ｃｏｕｎｔｅｒ）が基準値（ｒｅｆｅｒｅｎｃｅ  ｎｕｍｂｅｒ）まで計時すると、基準値検出器（ｄｅｔｅｃｔｏｒ）が出力を生成する。当該連続販売コントローラは、基準値検出器の出力にしたがって、通常販売価格を値下げ価格（ｄｉｓｃｏｕｎｔ  ｐｒｉｃｅ）に更新する。
【０００４】
特許文献３の“ＡＰＰＡＲＡＴＵＳ  ＡＮＤ  ＭＥＴＨＯＤ  ＦＯＲ  ＡＵＴＯＭＡＴＩＣ  ＳＥＬＦ−ＡＤＡＰＴＩＮＧ  ＣＯＮＴＲＯＬ  ＯＦ  ＳＡＬＥＳ  ＡＮＤ  ＡＤＪＵＳＴＭＥＮＴ  ＯＦ  ＰＲＩＣＥＳ  ＴＯ  ＭＡＲＫＥＴ  ＭＯＶＥＭＥＮＴ  ＩＮ  ＡＮ  ＡＵＴＯＭＡＴＩＣ  ＶＥＮＤＩＮＧ  ＭＡＣＨＩＮＥ”は、自動販売機について開示している。当該自動販売機は電子オークション装置である。且つ、自動販売機は、販売条件の変化（ｃｈａｎｇｉｎｇ  ｓａｌｅ  ｃｏｎｄｉｔｉｏｎ）に基づいて適切に調整した機械価格（ａｐｐｒｏｐｒｉａｔｅｌｙ  ａｄｊｕｓｔｅｄ  ｍａｃｈｉｎｅ  ｐｒｉｃｅ）で応答する。また、自動販売機は、現在のコンピュータ市場データ（ｃｏｍｐｕｔｅｒ  ｃｕｒｒｅｎｔ  ｍａｒｋｅｔ  ｄａｔａ）を自動的に取得（ａｕｔｏｍａｔｉｃａｌｌｙ  ａｃｃｅｓｓｅｄ）して採用するとともに、これに応じて更新した機械価格（ｃｏｒｒｅｓｐｏｎｄｉｎｇ  ｕｐｄａｔｅｄ  ｍａｃｈｉｎｅ  ｐｒｉｃｅ）を表示する。
【先行技術文献】
【特許文献】
【０００５】
【特許文献１】米国特許第４，４９８，５７０号
【特許文献２】米国特許第４，６７９，１５０号
【特許文献３】米国特許第６，０１２，８３４号
【考案の概要】
【考案が解決しようとする課題】
【０００６】
本考案の主たる目的は、複数の物品が販売機に投入され、物品ごとに物品期限タイミングを有し、且つ、販売機が値下げ販促メカニズムを含み、当該値下げ販促メカニズムが、物品期限タイミングに基づいて計時を開始するとともに、所定の値下げタイミングにおいて値下げ販売価格を生成することで、販売機における値下げ機能を向上させるとの目的を達する販売機における製品期限に基づく値下げシステムを提供することである。
【課題を解決するための手段】
【０００７】
上記の目的を達成すべく、本考案の販売機における製品期限に基づく値下げシステムは、複数の物品が配置される販売機システムであって、当該販売機システムが当該物品を自動的に販売しやすいよう、当該物品が各々に物品期限タイミングを有する販売機システム、計時ユニットであって、当該販売機システムが当該計時ユニットを用いて計時（カウントダウン）を開始するよう、当該販売機システムに提供される計時ユニット、及び、値下げ販促メカニズムであって、当該販売機システムが当該値下げ販促メカニズムを用いて元値の値下げ販促演算を行うよう、当該販売機システムに提供される値下げ販促メカニズム、を含み、当該値下げ販促メカニズムは、当該物品期限タイミングに基づいて計時（カウントダウン）を開始するとともに、所定の値下げタイミングまで計時すると値下げ販売価格を生成する。
【０００８】
本考案の販売機における製品期限に基づく値下げ方法は、販売機システムに複数の物品が配置され、且つ、当該販売機システムが当該物品を自動的に販売しやすいよう、当該物品が各々に物品期限タイミングを有し、当該販売機システムが計時ユニットを用いて計時（カウントダウン）を開始するよう、当該販売機システムに計時ユニットを提供し、当該販売機システムが値下げ販促メカニズムを用いて元値の値下げ販促演算を行うよう、当該販売機システムに値下げ販促メカニズムを提供し、当該値下げ販促メカニズムは、当該物品期限タイミングに基づいて計時（カウントダウン）を開始するとともに、所定の値下げタイミングまで計時すると値下げ販売価格を生成する。
【０００９】
本考案では、期限切れ間近の当該物品を告知販促するよう、当該少なくとも一つの値下げ販売価格が、ＰＯＳシステム、告知出力装置、告知表示装置又はモバイル通信装置に出力される。
【００１０】
本考案では、当該少なくとも一つの値下げ販売価格に機械位置データを組み合わせるとともに、期限切れ間近の当該物品を告知販促するよう、当該少なくとも一つの値下げ販売価格と機械位置データを、ＰＯＳシステム、告知出力装置、告知表示装置又はモバイル通信装置に出力する。
【００１１】
本考案では、当該物品期限タイミングは消費期限であり、当該所定の値下げタイミングは強制販促日である。
【００１２】
本考案では、当該強制販促日と消費期限の間には、加速販促日又は最終販促日が存在し、且つ、当該最終販促日には最終値下げ販売価格が対応して配置される。
【００１３】
本考案では、不適切管理による販売不調を回避するよう、当該期限切れ間近の物品の数量情報が倉庫管理システム又はクラウド管理センタに表示される。
【００１４】
本考案では、当該期限切れ間近の物品の販促を加速するよう、当該期限切れ間近の物品の決算が完了すると、当該期限切れ間近の物品の残数、販促終了日又はこれらの組み合わせが表示される。
【００１５】
本考案では、当該販売機システムには、ＡＶ再生方式で当該物品を告知販促するよう、ＡＶ再生システムが選択的に配置される。
【００１６】
本考案では、当該販売機システムは、ＡＶ再生方式で当該物品の値下げカウントダウン及び告知販促を行うよう、ＡＶ再生システムを選択的に利用する。
【図面の簡単な説明】
【００１７】
【図１】図１は、本考案の第１実施例の販売機における製品期限に基づく値下げシステムのブロック図である。
【図２】図２は、本考案の第２実施例の販売機における製品期限に基づく値下げシステムのブロック図である。
【図３】図３は、本考案の実施例の販売機における製品期限に基づく値下げ方法のフローチャートである。
【図３Ａ】図３Ａは、本考案の実施例の販売機における製品期限に基づく値下げ方法で採用する物品数カウント方法のフローチャートである。
【図４】図４は、本考案の他の実施例で採用する値下げ販促メカニズムを示す図である。
【図４Ａ】図４Ａは、本考案の実施例で採用する他の値下げ販促メカニズムの流れを示す図である。
【図５】図５は、本考案の他の実施例の販売機における製品期限に基づく値下げシステムのブロック図である。
【考案を実施するための形態】
【００１８】
本考案の販売機における製品期限に基づく値下げシステムは、例えば、コンビニ、スーパーマーケット、オークションサイトシステム又はオンラインショッピングシステムといった各種コンビニシステム、実体取引システム、ネット取引システム又はネットショップシステムへの配置に適している。また、本考案の販売機における製品期限に基づく値下げシステムは、例えば、Ｏ２Ｏ、Ｂ２Ｂ又はＢ２Ｃといった各種電子商取引システムへの組み合わせ及び応用に適している。
【００１９】
本考案の販売機における製品期限に基づく値下げシステムの実行方式では、例えば、デスクトップパソコン（ｄｅｓｋｔｏｐ）、ノートパソコン（ｎｏｔｅｂｏｏｋ）、ワークステーションコンピュータ（ｗｏｒｋｓｔａｔｉｏｎ  ｃｏｍｐｕｔｅｒ）などの各種販売機システム、各種販売時点情報管理端末（ＰＯＳ）システム、演算機能を備えた各種デバイス（例えばスマートフォン）又は各種コンピュータ装置（ｃｏｍｐｕｔｅｒ  ｅｑｕｉｐｍｅｎｔ）で実行可能なコンピュータにより実行されるプロセスステップ（ｃｏｍｐｕｔｅｒ−ｅｘｅｃｕｔａｂｌｅ  ｐｒｏｃｅｓｓ  ｓｔｅｐ）を利用可能である。
【００２０】
本考案の販売機における製品期限に基づく値下げシステムは、例えば、インターネット（Ｉｎｔｅｒｎｅｔ）、各種ローカル・エリア・ネットワーク（ＬＡＮ）又は各種無線ＬＡＮ（ｗｉｒｅｌｅｓｓ  ＬＡＮ）を含む各種内部ネットワーク（イントラネット）システム（ｉｎｔｒａｎｅｔ  ｓｙｓｔｅｍ）や、各種情報ネットワークシステム（ｎｅｔｗｏｒｋ  ｓｙｓｔｅｍ）への接続に適している。
【００２１】
図１に示すように、一例を挙げると、本考案の販売機における製品期限に基づく値下げシステムは、販売機システム（ｖｅｎｄｉｎｇ  ｍａｃｈｉｎｅ  ｓｙｓｔｅｍ）１、値下げ販促メカニズム（ｄｉｓｃｏｕｎｔ  ｐｒｏｍｏｔｉｏｎ  ｍｅｃｈａｎｉｓｍ）１０及び計時ユニット（ｔｉｍｉｎｇ  ｕｎｉｔ）２を含む。販売機システム１には、各種物品１００又は製品が配置される。且つ、販売機システム１が物品１００又は製品を自動的に販売しやすいよう、物品１００又は製品は各々に物品期限タイミングを有している。
【００２２】
図１に示すように、一例を挙げると、本考案における他の実施例のシステムでは、時間入力ユニット（ｔｉｍｅ  ｉｎｐｕｔ  ｕｎｉｔ）３を別途選択的に含む。且つ、時間入力ユニット３は、販売機Ａの各種入力装置（例えば、キー、キーボード又はタッチパネル）か、或いは、モバイルデバイス（ｈａｎｄｈｅｌｄ  ｄｅｖｉｃｅ）、デスクトップパソコン、ノートパソコン、タブレットＰＣ（ｔａｂｌｅｔ）、商用（ｃｏｍｍｅｒｃｉａｌ）コンピュータ、産業用コンピュータ（ｉｎｄｕｓｔｒｉａｌ）又はその他類似のデバイスといった販売機Ａに有線又は無線方式で接続されて通信する演算機能を備えた各種機器に対し選択的に配置可能である。
【００２３】
図１に示すように、一例を挙げると、販売機システム１は、農産品販売機システム、海産物販売機システム、ピザ又は西洋菓子販売機システム、飲料又は酒類販売機システム、食品販売機システム、コールド・ホットフード販売機システム又はその他から選択可能であり、物品１００（又は、野菜、果物、生鮮、乳製品、飲料、食品或いは日用品を含む商品）の販売に適用される。物品１００は、製造（ｍａｎｕｆａｃｔｕｒｉｎｇ）日及び消費（ｅｘｐｉｒａｔｉｏｎ）期限を包含又は具備し、且つ、製造日（データ）及び消費期限（データ）には、日数値、月数値及び年数値が含まれる。一例を挙げると、製造日及び消費期限の日数値、月数値及び年数値は、例えば、ｙｙ／ｍｍ／ｄｄ、ｍｍ／ｄｄ／ｙｙ又はｄｄ／ｍｍ／ｙｙといった各種配列での書式を有する。
【００２４】
図１に示すように、一例を挙げると、計時ユニット２は販売機Ａの制御ホストに選択的に配置される。これによれば、販売機システム１は計時ユニット２を用いて計時を開始し、且つ、計時ユニット２を各種計時ユニット（例えば、工業用プログラマブルタイマやカウントダウンタイマ）から選択可能となる。
【００２５】
図２に示すように、本考案における第２実施例のシステムは、物品販売管理システム（ｐｒｏｄｕｃｔ  ｓｅｌｌｉｎｇ  ｍａｎａｇｅｍｅｎｔ  ｓｙｓｔｅｍ）１Ａ、告知出力装置（ｄｉｓｃｏｕｎｔ  ｄａｔａ  ｏｕｔｐｕｔ  ｄｅｖｉｃｅ）１１ａ及び告知表示装置（ｄｉｓｃｏｕｎｔ  ｄａｔａ  ｄｉｓｐｌａｙ  ｄｅｖｉｃｅ）１１ｂを含む。
【００２６】
図２に示すように、一例を挙げると、告知出力装置１１ａは、オークションサイトシステム、オンラインショッピングシステム又はその他のオンラインシステム（例えば、オンライン仮想店舗システム、オンラインキャッシュボックス装置又は領収書プリントデバイス）に選択的に設置可能であり、告知表示装置１１ｂは、コンビニのショッピングエリア、スーパーマーケットのショッピングエリア又はその他のショッピングエリア（例えば、実店舗のショッピングエリアや百貨店のショッピングエリア）に選択的に設置可能である。
【００２７】
図１及び図２に示すように、一例を挙げると、値下げ販促メカニズム１０（又は、期限に伴う値下げ販促メカニズム）は販売機システム１に選択的に提供可能である。また、販売機システム１は、物品販売管理システム１Ａに接続されて通信し、且つ、物品販売管理システム１Ａは、サーバ、クラウドサーバ（ｃｌｏｕｄ  ｓｅｒｖｅｒ）又は類似の機能を備えた装置に設置される。他の実施例における値下げ販促メカニズム１０は、動的値下げ販促メカニズム、固定値下げ（ｆｉｘｅｄ  ｄｉｓｃｏｕｎｔ）販促メカニズム又はその他の値下げ販促メカニズムとされる。
【００２８】
図１及び図２に示すように、一例を挙げると、販売機システム１は値下げ販促メカニズム１０を用いて、元値（ｏｒｉｇｉｎａｌ  ｐｒｉｃｅ）について値下げ販促演算を行うことができる。値下げ販促メカニズム１０は、物品１００の期限（例えば、消費期限、賞味期限又は機械販売期限）に基づいて計時を開始し、所定の値下げタイミングまで計時すると、自動的に値下げ販売価格（ｄｉｓｃｏｕｎｔ  ｐｒｏｍｏｔｉｏｎ  ｐｒｉｃｅ）１１を生成する。
【００２９】
図１、図２及び図３に示すように、本考案の販売機における製品期限に基づく値下げ方法は、ステップＳ１を含む。ステップＳ１では、まず、販売機システム１に複数の物品１００（同じ又は異なるもの）が配置される。販売機システム１が物品１００を自動販売又は告知販売しやすいよう、物品１００は各々に物品期限タイミングを有する。また、他の実施例の販売機システム１には、ＡＶ再生システム又はＡＶシステム（図２参照）が選択的に配置される。且つ、ＡＶ再生により物品１００を告知販売すべく、ＡＶシステムは販売機システム１及び値下げ販促メカニズム１０に接続される。
【００３０】
図１、図２及び図３に示すように、本考案の方法はステップＳ２を含む。ステップＳ２では、次に、一例として販売機システム１が計時ユニット２を用いて計時（カウントダウン）を開始するよう、計時ユニット２を販売機システム１に提供して配置する。他の実施例において、販売機システム１はＡＶ再生システム又はＡＶシステム（図２参照）を選択的に用い、ＡＶ再生方式による物品１００の値下げカウントダウン及び告知販売を行う。
【００３１】
図１、図２及び図３に示すように、本考案の方法はステップＳ３を含む。ステップＳ３では、次に、一例として販売機システム１が値下げ販促メカニズム１０を用いて元値の値下げ販促演算やその他一連の価格逓減（例えば、販売価格の連続値下げ）を行うよう、値下げ販促メカニズム１０を適切に販売機システム１に提供する。
【００３２】
図１、図２及び図３に示すように、本考案の方法はステップＳ４を含む。ステップＳ４では、次に、一例として値下げ販促メカニズム１０が物品期限タイミングに基づいて計時（カウントダウン）を開始し、且つ、所定の値下げタイミング（例えば、強制販促日）まで計時すると、値下げ販売価格１１を生成する。他の実施例において、販売機システム１はＡＶ再生システム又はＡＶシステム（図２参照）を選択的に用い、ＡＶ再生方式により物品１００の値下げ販売価格１１を告知し、販売する。
【００３３】
図１、図２及び図３に示すように、他の好ましい実施例において、販売機システム１又は物品販売管理システム１Ａが期限切れ間近の物品１００の販促を加速するよう、販売機システム１は期限切れ間近の物品１００の決算が完了すると、期限切れ間近の物品１００の残数、販促終了日又はこれらの組み合わせを表示する。
【００３４】
図１、図２及び図３に示すように、他の実施例の方法はその他のステップを含む。このステップでは、次に、一例として期限切れ間近の物品１００を告知販促するよう、値下げ販売価格を物品販売管理システム１Ａ、告知出力装置１１ａ又は告知表示装置１１ｂに出力するか、又は、値下げ販売価格に機械位置データを組み合わせて物品販売管理システム１Ａ、告知出力装置１１ａ又は告知表示装置１１ｂに出力する。
【００３５】
図３及び図３Ａに示すように、本考案における物品数カウント方法は、物品期限タイミング（例えば、消費期限、賞味期限又は機械販売期限）に応じて物品販促業務を継続又は終了するよう、取引成立データが生成されると、現時点での販促物品の数量を取引成立物品の数量と比較するステップを別途含む。一例を挙げると、物品数管理ユニットを用いて、現時点での販促物品の数量と取引が成立した物品の数量とを減算する。そして、０よりも大きい場合には物品販促業務を継続する。逆に、０以下の場合には物品販促業務を直ちに終了することで、数量限定販促（ｑｕａｎｔｉｔｙ−ｒｅｓｔｒｉｃｔｅｄ  ｐｒｏｍｏｔｉｏｎ）との目的を達する。
【００３６】
他の実施例における強制販促日と消費期限（賞味期限又は機械販売期限）との間には、加速販促日又は最終販促日が存在する。最終販促日は、消費期限の近くに選択的に設定してもよいし、消費期限と同じ日に選択的に設定してもよい。且つ、最終販促日には最終値下げ販売価格が対応して配置される。
【００３７】
図１、図２及び図４に示すように、一例を挙げると、値下げ販促メカニズム１０は複数の設定時間である在庫仕入れ日、在庫警告日、初期販促日、加速販促日、最終販促日及びこれらに対応する動的価格である元値、初期販促価格、加速販促価格、最終販促価格を含む。
【００３８】
図４に示すように、一例を挙げると、仕入れ日から警告日までの期間は元値が維持される。次に、警告日から初期販促日までの期間は、第１の傾きで元値から緩やかに初期販促価格まで下落させる。続いて、初期販促日から加速販促日までの期間は、第２の傾きで初期販促価格から急激に加速販促価格まで下落させる。そして、加速販促日から最終販促日までの期間は、第３の傾きで加速販促価格から緩やかに最終販促価格まで下落させて、最終販促日の最後を販促締め日とする。
【００３９】
図１、図２及び図４Ａに示すように、一例を挙げると、値下げ販促メカニズム１０は、最終カウントダウンタイムメカニズムを別途含む。最終カウントダウンタイムメカニズムでは、所定のカウントダウンタイム間隔（例えば、２時間間隔）ごとに所定のパーセンテージ（例えば、２０％）で自動的に値下げし、最終カウントダウンタイムに到達すると、最終パーセンテージ（例えば、１０％又は３０％）で自動値下げを行う。
【００４０】
図５に示すように、他の実施例におけるシステムは、倉庫管理システム、クラウド管理センタ５又はその他の管理システムを含む。期限切れ間近の物品１００を調整し、他の販売機システム１に配送することで不適切管理による販売不調を回避すべく、期限切れ間近の物品１００の数量情報及びその他の情報（例えば、値下げ販売価格）は、倉庫管理システム又はクラウド管理センタに同期して表示される。
【００４１】
図１、図２、図３及び図５に示すように、他の実施例の方法では、次に、期限切れ間近の物品１００の販売促進のために、値下げ販売価格とその他の情報を、販売機システム１、物品販売管理システム１Ａ又はクラウド管理センタ５から、有線又は無線通信方式でモバイル通信装置（例えば、携帯電話５０やノートパソコン５１）に出力するか、或いは、指定の会員装置に優先的に出力するとともに、指定の会員装置から値下げ販売価格に対し応答があったか否か（例えば、購買又は購買予約）に基づいて、指定の会員装置に対し引き続き優先的に値下げ販売価格及びその他の情報を出力するか否かを決定する他のステップを含む。指定の会員装置から値下げ販売価格に対する応答があった場合には、値下げ販売価格及びその他の情報を引き続き優先的に当該指定の会員装置に出力する旨を決定する。逆に、指定の会員装置から値下げ販売価格に対する応答がない場合には、当該指定の会員装置に対する値下げ販売価格及びその他の情報の優先出力を継続しない旨を決定する。
【００４２】
図１、図２、図３及び図５に示すように、他の実施例の方法では、販売機システム１又は物品販売管理システム１Ａが、指定の会員装置によって所定の時間内に期限切れ間近の物品１００と同じものが購入されたか否か（又は、その消費行為）に基づいて、引き続き優先的に値下げ販売価格及びその他の情報を当該指定の会員装置に出力するか否かを決定する他のステップを含む。指定の会員装置が所定の時間内に期限切れ間近の物品１００と同じものを消費しなかった場合には、値下げ販売価格及びその他の情報を引き続き優先的に当該指定の会員装置に出力する旨を決定する。逆に、指定の会員装置が所定の時間内に期限切れ間近の物品１００と同じものを消費した場合には、当該指定の会員装置に対する値下げ販売価格及びその他の情報の優先出力を継続しない旨を決定する。
【符号の説明】
【００４３】
１      販売機システム
Ａ      販売機
１Ａ    物品販売管理システム
１０    値下げ販促メカニズム
１００  物品
１１    値下げ販売価格
１１ａ  告知出力装置
１１ｂ  告知表示装置
２      計時ユニット
３      時間入力ユニット
５      クラウド管理センタ
５０    携帯電話
５１    ノートパソコン
【図１】
0003217731.tif 000003
【図２】
0003217731.tif 000004
【図３】
0003217731.tif 000005
【図３Ａ】
0003217731.tif 000006
【図４】
0003217731.tif 000007
【図４Ａ】
0003217731.tif 000008
【図５】
0003217731.tif 000009